(57)【要約】【目的】拡大処理を行う際の起点をユーザーが設定或は指定できることが可能になり、表示するコンテンツに応じて起点を変更して拡大することができ、ユーザーにとって使い易い携帯端末装置を提供すること。【構成】外部から様々なデータ等の情報を入力するための入力手段と、種々のデータを表示するための表示部と、前記入力部より入力されたデータに基づいて処理を行うＣＰＵを備える携帯端末装置において、表示部に表示しているデータを拡大表示する際に、拡大の基準となる起点を予め設定できることを特徴とする。この場合、前記表示部に表示しているデータを拡大する際に、表示部に中心と４隅を示す点を表示し、その点を指示することにより、拡大する起点を指示できるよう構成する。【選択図】      図１
2004246580.tif 000002
【特許請求の範囲】
【請求項１】
外部から様々なデータ等の情報を入力するための入力手段と、種々のデータを表示するための表示部と、前記入力部より入力されたデータに基づいて処理を行うＣＰＵを備える携帯端末装置において、
表示部に表示しているデータを拡大表示する際に、拡大の基準となる起点を予め設定できることを特徴とする携帯端末装置。
【請求項２】
前記表示部に表示しているデータを拡大する際に、表示部に中心と４隅を示す点を表示し、その点を指示することにより、拡大する起点を指示できることを特徴とする請求項１記載の携帯端末装置。
【請求項３】
表示しているデータを拡大する際に、表示部に画面を５分割する線を表示し、ユーザーが入力部で指示した領域を判別し、その位置に応じて起点を中心或は四隅の中から選択することを特徴とする請求項１記載の携帯端末装置。
【発明の詳細な説明】
【０００１】
【発明の属する技術分野】
本発明は、表示部と入力部を備える携帯端末装置に関するものである。
【０００２】
【従来の技術】
最近、携帯端末装置においても、表示部がカラーになり、且つ、解像度も増えてきて、詳細な画像の表示も可能になってきた。そのため、高画質の原画像を携帯端末装置の小さな表示部に表示できるようになったが、ユーザーにとっては、細か過ぎて見づらいものであった。
【０００３】
そこで、特開平１０−６９３４５号公報のように、ペンによる座標入力により入力された画像を中心として画像データを拡大または縮小することにより、ユーザーが望む拡大又は縮小画像を得ることができるものが開示されている。
【０００４】
【発明が解決しようとする課題】
しかしながら、上記従来例においては、携帯端末装置を持って、拡大又は縮小する画像の中心点を入力する際に、片手で携帯端末装置を持ち、他方の手でペンを持つ必要があり、両手を使わなければならなかった。これでは、電車の中等で両手を使うことが難しい場面では、甚だ使いづらかった。
【０００５】
又、地図やグラフ等を表示して拡大／縮小を行うような場合には、起点を中心ではなく、四隅においていないと分かりづらいという欠点もあった。
【０００６】
例えば、地図の左上に駅があり、そこから目的に向かう場合には、左上を起点にして拡大していけば、駅の位置を見失わずに見易い画像が得られる。或は、細かいグラフを見る場合等には、左下にある座標（０，０）を起点に拡大した方が分かり易い表示となる。
【０００７】
従って、本発明の目的とする処は、拡大処理を行う際の起点をユーザーが設定或は指定できることが可能になり、表示するコンテンツに応じて起点を変更して拡大することができ、ユーザーにとって使い易い携帯端末装置を提供することにある。
【０００８】
【課題を解決するための手段】
上記目的を達成するため、請求項１記載の発明は、外部から様々なデータ等の情報を入力するための入力手段と、種々のデータを表示するための表示部と、前記入力部より入力されたデータに基づいて処理を行うＣＰＵを備える携帯端末装置において、表示部に表示しているデータを拡大表示する際に、拡大の基準となる起点を予め設定できることを特徴とする。
【０００９】
請求項２記載の発明は、請求項１記載の発明において、前記表示部に表示しているデータを拡大する際に、表示部に中心と４隅を示す点を表示し、その点を指示することにより、拡大する起点を指示できることを特徴とする。
【００１０】
請求項３記載の発明は、請求項１記載の発明において、表示しているデータを拡大する際に、表示部に画面を５分割する線を表示し、ユーザーが入力部で指示した領域を判別し、その位置に応じて起点を中心或は四隅の中から選択することを特徴とする。
【００１１】
【発明の実施の形態】
以下に本発明の実施の形態を添付図面に基づいて説明する。
【００１２】
図１は本発明に係る携帯端末装置の構成を示すブロック図である。
【００１３】
図１において、１０１はマイクロプロセッサ等のＣＰＵであって、携帯端末装置全体の制御を行い、特に後述のＲＯＭ／ＲＡＭ１０２に格納された制御プログラムに従って各種データ信号や制御信号を出力して装置全体の制御を行っている。
【００１４】
１０２はＲＯＭ／ＲＡＭであって、制御プログラム等が格納される。又、ＣＰＵ１０１のワークエリアとして使用され、種々の制御データが一時保存される。１０３は表示部であり、種々のメッセージや画像を表示する。１０４はキー入力部であり、表示部１０３の表面にあるタッチパネルによる入力及び種々のキーによりユーザーが入力を行う。１０５はコンパクトフラッシュメモリカードとかＳＤメモリカード等の補助記憶部であって、各種情報等を記憶するメモリである。１０６はＢｌｕｅｔｏｏｔｈ  等の無線通信を行う通信部であり、近傍の端末と通信を行う。１０７はシステムバスである。
【００１５】
以上の構成を有する携帯端末装置の動作を以下に説明する。
【００１６】
図２は請求項１の起点設定処理を説明するためのフローチャートである。
【００１７】
先ず、ステップＳ２０１において、入力部１０４から中心或は四隅（右上、右下、左上、左下）のどの起点を選択するかを入力する。次に、ステップＳ２０２において、入力部１０４からオフセットの値を入力する。Ｘ座標、Ｙ座標を入力する。Ｘ＝０，Ｙ＝０の場合には、一番端を起点とする。ステップＳ２０３に進み、これらの設定した値をＲＯＭ／ＲＡＭ１０２のＲＡＭ上の起点テーブルに設定して処理を終了する。
【００１８】
図３は拡大処理を説明するためのフローチャートである。
【００１９】
ステップＳ３０１において、ＲＯＭ／ＲＡＡＭ１０２上の起点テーブルを参照して、起点に関する情報を得る。次に、ステップＳ３０２において、この起点の設定に従って補助記憶部１０５のファイル、或は既にＲＯＭ／ＲＡＭ１０２上に展開してある原画像から必要な画像を切り出して、ＲＯＭ／ＲＡＭ１０２のＲＡＭ上に展開する。
【００２０】
次に、ステップＳ３０３において、表示部１０３の解像度、例えば、３２０×２４０といった値に合わせて切り取った画像を変換する。次に、ステップＳ３０４において、変換した画像をＲＯＭ／ＲＡＭ１０２上の表示用のエリアに転送し、表示部１０３に画像を表示して処理を終了する。
【００２１】
図４は請求項２を説明するための図である。
【００２２】
図４に示すように、中心及び四隅を示す点を表示部１０３に表示し、その点を入力部１０４で選択することにより、その点に対応した起点から、図のように拡大処理を行う。
【００２３】
図５は請求項３を説明するための図である。
【００２４】
拡大処理を行う際に、図５に示すような５分割された領域を示す線を表示部１０３に表示し、入力部１０４によって、Ａ〜Ｅのどれかの領域を選択したことによって、起点を中心或は四隅に設定して拡大処理を行う。この図の場合は、Ａの領域を選択すると、左上を起点とする。同様に、Ｂは右上、Ｃは左下、Ｄは右下、Ｅは中心を起点とする。
【００２５】
尚、本発明においては、事前の設定、表示部に表示して選択等の実施形態であるが、起点の選択を任意のキーに割り当てて、そのキーを押下することにより選択することも可能である。
【００２６】
又、本実施の形態においては、ペンやキー等の物理的な入力部で選択を行ったが、音声等で選択することも可能である。
【００２７】
【発明の効果】
以上の説明で明らかなように、本発明によれば、拡大処理を行う際の起点をユーザーが設定或は指定できることが可能になり、表示するコンテンツに応じて起点を変更して拡大することができ、ユーザーにとって使い易い携帯端末装置を提供することができる。
【００２８】
又、従来、拡大する際には、ペン等で拡大する起点を指示しなければならず、必ず両手を使用しなければならなかったが、本発明によれば、事前に起点を設定したり、起点の選択をキーで行うことが可能になり、片手での操作が可能になり、様々な場所での操作がより容易化するという効果が得られる。
【図面の簡単な説明】
【図１】本発明に係る携帯端末装置の構成を示すブロック図である。
【図２】本発明の実施の形態における起点設定処理を説明するためのフローチャートである。
【図３】本発明の実施の形態における拡大処理を説明するためのフローチャートである。
【図４】本発明の請求項２の実施の形態を示す図である。
【図５】本発明の請求項３の実施の形態を示す図である。
【符号の説明】
１０１    ＣＰＵ
１０２    ＲＯＭ／ＲＡＭ
１０３      表示部
１０４      入力部
１０５      補助記憶部
１０６      通信部
１０７      システムバス
【図１】
2004246580.tif 000003
【図２】
2004246580.tif 000004
【図３】
2004246580.tif 000005
【図４】
2004246580.tif 000006
【図５】
2004246580.tif 000007